(57)【特許請求の範囲】
【請求項１】
化粧液が含浸された状態で、眼孔部分、鼻孔部分及び口唇部分を除いて顔面の全面に亘り貼付されるシート状のフェイスマスクにおいて、
顔面の左半面に貼付される左側シートと、この左側シートと形状が左右対称とされ、顔面の右半面に貼付される右側シートとからなり、
前記左側シートの右側縁と前記右側シートの左側縁とが、額の上部及び鼻梁にそれぞれ対応する領域以外の領域で接合されたことを特徴とする立体フェイスマスク。
【発明の詳細な説明】
【技術分野】
【０００１】
本発明は、化粧水又は美容液（以下、化粧液と略す）を含浸させて顔面の全面にわたり貼付されるシート状のフェイスマスクに関するものである。
【背景技術】
【０００２】
従来から、顔の皮膚に化粧液を供給する際に使用される美容用具として、シート状のフェイスマスクが使用されている。従来のフェイスマスクは、１枚のシートで構成されていたため、３次元の凹凸形状を呈する顔面の全面に貼付すると部分的に皺や弛みや隙間を生じ、顔面の一部に化粧液が行き亘らないことがある。
【０００３】
このような問題に対し、顔面の左半面と右半面とに個々に対応する２枚のシートの端縁同士を接合することで顔面の３次元の凹凸に対応するよう構成された立体フェイスマスクが提案されている（特許文献１、特許文献２参照）。
【先行技術文献】
【特許文献】
【０００４】
【特許文献１】特開２００７−３３０３２９号公報
【特許文献２】特開２０１０−６９２８７号公報
【発明の概要】
【発明が解決しようとする課題】
【０００５】
しかし、当然のことながら額の広狭や鼻梁の高低等々人の容貌は様々であり、特許文献１、特許文献２のいずれの立体フェイスマスクも形状が画一的であって容貌の違いに柔軟に対応し得ないものであることから、それらいずれの立体フェイスマスクによってもなお上記したような問題の解決には至っておらず、特に、フェイスマスクの額部分や鼻梁部分に皺、弛み、隙間が生じたりし、当該鼻梁部分に化粧液が十分に行き亘らないという問題が依然としてあった。
【０００６】
上記問題に鑑み、本発明の解決しようとする課題は、額部分や鼻梁部分に皺、弛み隙間ができず、顔面の全面に万遍なく化粧液を行き亘らせることのできる立体フェイスマスクを提供することである。
【課題を解決するための手段】
【０００７】
上記課題を解決するため、本発明に係る立体フェイスマスクは、化粧液が含浸された状態で、眼孔部分、鼻孔部分及び口唇部分を除いて顔面の全面に亘り貼付されるシート状のフェイスマスクにおいて、顔面の左半面に貼付される左側シートと、この左側シートと形状が左右対称とされ、顔面の右半面に貼付される右側シートとからなり、前記左側シートの右側縁と前記右側シートの左側縁とが、額の上部及び鼻梁にそれぞれ対応する領域以外の領域で接合されたことを特徴としている。
【０００８】
この特定事項により、立体フェイスマスクにおいて額の上部に対応する領域及び鼻梁に対応する領域がそれぞれ開いたままとなるため、額の上部に対応する領域における左右各シートの対向する側縁部分同士の重なり具合を額の広狭に応じて増減させたり、また鼻梁に対応する領域における左右各シートの対向する側縁部分同士の重なり具合を鼻梁の高低に応じて増減させたりすることができる。したがって、容貌の違いに柔軟に対応することができるため、額部分や鼻梁部分に皺、弛み、隙間ができず、顔面の全面に万遍なく化粧液を行き亘らせることが可能となる。さらに、本発明に係る立体フェイスマスクは、立体フェイスマスクを構成する左側シート及び右側シートが左右対称であることから、左側シートと右側シートを同一の打ち抜き型で作成することができ、安価に製造できる。
【発明の効果】
【０００９】
本発明の立体フェイスマスクは、額部分や鼻梁部分に皺、弛み隙間ができないものであるため、顔面の全面に万遍なく化粧液を行き亘らせることができる。
【図面の簡単な説明】
【００１０】
【図１】本発明の一実施形態に係る立体フェイスマスクを構成する左側シート及び右側シートを示す正面図である。
【図２】図１に示す立体フェイスマスクの使用態様を示す斜視図である。
【図３】図２におけるＡ−Ａ線に沿う断面図である。
【図４】従来のフェイスマスクの一例を示す正面図である。
【図５】特許文献１に係る立体フェイスマスクを示す斜視図である。
【図６】特許文献２に係る立体フェイスマスクの使用態様を示す斜視図である。
【発明を実施するための形態】
【００１１】
以下に、本発明の一実施の形態について、図１乃至図３を参照して説明する。
【００１２】
−立体フェイスマスクの構成−
立体フェイスマスク（以下、フェイスマスクと略す）１は、図１に示すように、左側シート２及び右側シート４からなる。
【００１３】
左側シート２は、顔面の左半面を覆うシートである。この左側シート２は、額上部中央周縁２４、額下から鼻梁上端に亘る眉間被覆周縁５１、鼻梁部貼り代２５の周縁５４、鼻梁被覆部２２の下周縁５５、人中被覆周縁５２、口唇切欠部周縁２６、口唇下から顎下に亘る顎被覆周縁５３からなる左側縁と、額部上周縁３３、こめかみ部周縁３４、頬部周縁３７、耳下被覆部２７の周縁３８、顎部周縁３９からなる右側縁と、で囲まれた形状とされる。
【００１４】
額上部中央周縁２４は、左側シート２の右側縁における額の上部に対応する領域である。額上部中央周縁２４は、左側シート２の右上に位置され、垂直方向から２０°程右下に傾斜した２ｃｍ程の直線上の周縁とされる。
【００１５】
眉間被覆周縁５１は、左側シート２で顔面を覆ったときに、額中央から鼻梁上端に対応する領域である。眉間被覆周縁５１は、額上部中央周縁２４の下への延長線上にあって、直線周縁５１ａと曲線周縁５１ｂとからなる。直線周縁５１ａは、垂直方向から２０°程右下に傾斜した２ｃｍ程の直線とされ、上端は額上部中央周縁２４の下端に繋げられる。曲線周縁５１ｂは、クランク状の４ｃｍ程の緩やかな曲線とされ、上端は、直線周縁５１ａの下端に繋げられる。クランク状の曲線の中央付近は、垂直方向から１０°程右下に傾斜した２ｃｍ程の直線とされる。
【００１６】
後述する鼻梁部貼り代２５の周縁５４は、左側シート２における右側縁の鼻梁に対応する領域である。眉間被覆周縁５１の下への延長線上にあって、直線部５４ａと直線部５４ｂと曲線部５４ｃと直線部５４ｄからなる。直線部５４ａは、垂直方向から４５°程右下に傾斜した１．５ｃｍ程の直線であって、上端は眉間被覆周縁５１の下端に繋げられる。直線部５４ｂは、垂直方向から３５°程右下に傾斜した１．５ｃｍ程の直線であって、上端は直線部５４ａの下端に繋げられる。曲線部５４ｃは、直線部５４ｂの下端と次に述べる直線部５４ｄの上端との間になめらかに繋ぐ円弧状の５ｍｍ程の曲線とされる。直線部５４ｄは、水平方向から１５°程左下に傾斜した３ｍｍ程の直線であって、鼻梁部貼り代２５の下周縁に位置される。
【００１７】
後述する鼻梁被覆部２２の下周縁５５は、鼻梁部貼り代２５の周縁５４の下への延長線上にある、水平方向から１５°程左下に傾斜した１．５ｃｍ程の直線である。下周縁５５の上端は、直線部５４ｄと繋げられる。
【００１８】
人中被覆周縁５２は、左側シート２における人中に対応する領域であり、垂直方向から１５°程右下に傾斜した１．５ｃｍ程の直線上の周縁とされる。人中被覆周縁５２の上端は、鼻梁被覆部２２の下周縁５５の下端と接続される。
【００１９】
口唇切欠部周縁２６は、後述する口唇切欠部２３の周縁である。５．５ｃｍ程の直線を中央で折返した形状をしており、上端部付近は水平方向から１５°程左下に傾斜した直線、下端付近はほぼ水平な直線とされる。口唇切欠部周縁２６の上端は、人中被覆周縁５２の下端と接続される。
【００２０】
顎被覆周縁５３は、直線部５３ａと曲線部５３ｂと直線部５３ｃとからなる。直線部５３ａは垂直方向から５°程左下に傾斜した２ｃｍ程の直線であって、上端は口唇切欠部周縁２６の下端に繋げられる。曲線部５３ｂは、直線部５３ａの下端と直線部５３ｃの上端とをなめらかに繋ぐ円弧状の２ｃｍ程の曲線とされる。直線部５３ｃは、垂直方向から５０°程左下に傾斜した２．５ｃｍ程の直線であって、上端は曲線部５３ｂの下端に繋げられる。
【００２１】
額部上周縁３３は、左側シートの上部に位置し、水平方向から左下に１５°傾斜した３ｃｍ程の直線とされる。頭髪の生え際に近いラインとなるよう曲線や複数の直線で構成されてもよい。上端部は、額上部中央周縁２４の上端部と接続される。
【００２２】
こめかみ部周縁３４は、直線部３４ａと曲線部３４ｂと直線部３４ｃとからなる。直線部３４ａは垂直方向から４０°程左下に傾斜した２ｃｍ程の直線であって、上端は額部上周縁３３の下端に繋げられる。曲線部３４ｂは、クランク状の４ｃｍ程の緩やかな曲線とされ、上端は、直線部３４ａの下端になめらかに繋げられる。直線部３４ｃは、垂直方向から３５°程左下に傾斜した５ｍｍ程の直線であって、上端は曲線部３４ｂの下端になめらかに繋げられる。頭髪の生え際に近いラインとなるようさらに多くの曲線や直線で構成されてもよい。
【００２３】
頬部周縁３７は、左側シート２の左周縁の中央に位置する。半径７．５ｃｍ程度、中心角６０°程度の円弧であり、上端は、こめかみ部周縁３４の下端となめらかに接続される。
【００２４】
耳下被覆部２７の周縁３８は、左側シート２の左下に位置する、４．５ｃｍ程のなめらかな曲線である。上端付近は水平方向から１５°左下に傾斜した直線とされ、上端から１ｃｍ下流付近で急激に進行方向の左に曲がり、下端付近は水平方向から２５°右下に傾斜した直線となる。上端は、頬部周縁３７の下端と接続される。
【００２５】
顎部周縁３９は、左側シート２の左周縁の下部に位置する。半径１２ｃｍ程度、中心角２５°程度の円弧であり、上端は、耳下被覆部２７の周縁３８の下端となめらかに接続される。下端は、顎被覆周縁５３の下端と接続される。
【００２６】
左側シート２には、眼孔開口部２１がシート内部に、鼻梁の左側面を覆う鼻梁被覆部２２が右周縁の中央に、口唇切欠部２３が右周縁の鼻梁被覆部２２の下に、設けられている。
【００２７】
眼孔開口部２１は、フェイスマスク１の装着時に眼を覆わないための開口部であって、フェイスマスク１を装着したときに眼孔に当接する位置に設けられる。眼孔開口部２１の形状及び大きさは、眼孔の形状及び大きさに対応したものとされる。
【００２８】
眼孔開口部２１を形成する際には、開口部の輪郭の全てを切開せず、輪郭の眼下に位置する部分にシートと接続した折目線３６を設ける。使用時には、折目線の上方部分（眼孔開口部２１を塞ぐ部分）を、図３に示すように、折目線３６から手前（フェイスマスク１の表面側）に折り返し眼の下方のシートを二重にする。こうすることで、肌の手入れが特に大切な眼の下に十分な化粧液が供給される。
【００２９】
鼻梁被覆部２２は、フェイスマスク１の装着時に鼻梁の左側面を覆う張出し部であって、フェイスマスク１を装着したとき鼻に当接する位置、すなわち左側シート２の右周縁の中央に設けられる。鼻梁被覆部２２の形状は、鼻梁側面を覆うために下方向に向かうにしたがって広がる形状とされる。鼻梁被覆部２２の下周縁５５の延長線上には、鼻梁側面と人中とを隙間無く覆い且つ鼻孔は覆わないよう、１．５ｃｍ程の切り込み３２が設けられる。
【００３０】
鼻梁被覆部２２のシート外部に向かう周縁には、鼻梁被覆部２２で覆われる部分を装着者の鼻の形状に合わせてフレキシブルに調整するため、鼻梁部貼り代２５が設けられる。
【００３１】
口唇切欠部２３は、フェイスマスク１の装着時に口唇を覆わないための切り欠きであって、左側シート２の右側縁の鼻梁被覆部２２下に人中被覆周縁５２を介して設けられる。
【００３２】
耳下被覆部２７は、フェイスマスク１の装着時に耳下の皮膚を覆う部分であって、左側シートの左下周縁に設けられる。耳下被覆部２７と左側シート２の他の部分との境界には、耳下被覆部２７を左側シート２の他の部分から切り離すためのミシン目３５が設けられる。切り離した耳下被覆部２７は、図１に破線で示すように、アイパッチとして目尻の部分に貼り付けることができる。こうすることで、肌の手入れが特に大切な目尻の部分を二重のシートで覆うことができ、目尻に十分な化粧液が供給される。
【００３３】
左側シート２は、フェイスマスク１で覆われる部分を装着者の顔の形状に合わせてフレキシブルに調整するために、スリット２８、２９、３０、３１をさらに備える。スリット２８は、フェイスマスク１のこめかみに対応する位置に設けられる。スリット２９は、フェイスマスク１の頬骨に対応する位置に設けられる。スリット３０は、フェイスマスク１の顎に対応する位置に設けられる。目元スリット３１は、眼孔開口部２１周縁に設けられる。
【００３４】
右側シート４は、上記した構成の左側シート２と左右対称とされる。以下、額上部中央周縁２４、鼻梁被覆部２２及び口唇切欠部周縁２６などの用語は、左側シート２に係るもののみならず、それぞれの対応する右側シート４に係るものをも指すものとする。
【００３５】
左側シート２の右側縁と右側シート４の左側縁は、額上部中央周縁２４と、鼻梁部貼り代２５の周縁５４、を除く部分で接合される。すなわち、眉間被覆周縁５１、人中被覆周縁５２、及び顎被覆周縁５３で接合される。
【００３６】
左側シート２及び右側シート４の材質は、例えば、紙、パルプ又は合成繊維の不織布とされる。異なる種類の繊維を混合したものでもよい。各シート２、４には化粧液を含浸させるため、材質は吸水性の良いものが好ましい。
【００３７】
また、顔面から発汗される汗を吸収することにより発熱する吸湿発熱素材や外部から与えられた熱を蓄熱する蓄熱素材を混合し、温熱効果によって代謝機能を促進させる機能を付与してもよい。
【００３８】
−立体フェイスマスクの製法−
左側シート２及び右側シート４は、例えば、図示しない原反シートからトムソン型によって打ち抜くことにより作成される。両シートの備える眼孔開口部２１、スリット２８、２９、３０、３１及び切り込み３２もその打ち抜き時に形成される。シートの表面と裏面を反転すれば左右が入れ替わるので、右側シート４も左側シート２も同一のトムソン型で作成できる。
【００３９】
左側シート２と右側シート４とを接合する方法としては、縫製、接着、圧着など従来周知の方法を用いることができる。例えば、両シート２、４が熱可塑性材料からなるものであれば、加熱による接着を採用することもできる。
【００４０】
−立体フェイスマスクの使用法−
上記のようにして打ち抜き及び接合されるとともに化粧液が含浸された左側シート２と右側シート４とは重なった状態にあるため、まず、重なった左側シート２と右側シート４を、両シート２、４の接合部分を中心軸として左右に開く。次に、左側シート２及び右側シート４の眼孔開口部２１の切開線で囲まれた内部を折目線３６に沿ってシート２，４の表面側に折り返し、それぞれのシート２，４に眼孔開口部２１を形成する。最後に、眼に対応する眼孔開口部２１や口に対応する口唇切欠部２３の位置に注意しながら顔面に装着する（図２参照）。
【００４１】
額上部中央周縁２４、鼻梁部貼り代２５や、スリット２８、２９、３０及び切り込み３２を開裂したり重ね合わせたりすることで、顔の形状に合わせてフェイスマスク１の接触面をフレキシブルに調整する。特に、額の部分においては、左右各シート２，４の対向する額上部中央周縁２４同士の重なり具合を額の広狭に応じて増減させたり、また鼻梁部分においては、鼻梁部貼り代２５同士の重なり具合を鼻梁の高低に応じて増減させたりすることで、フェイスマスク１の接触面をフレキシブルに調整する。
【００４２】
耳下被覆部２７は、切り取って前述したようにアイパッチとして用いる他に、目尻以外の部分のパッチとして用いてもよい。すなわち、切り取った耳下被覆部２７を肌の手入れの必要な部分に貼り付け当該部分を二重に覆い、化粧液が十分に供給されるようにしてもよい。
【符号の説明】
【００４３】
１      立体フェイスマスク
２      左側シート
４      右側シート
【要約】
【課題】額部分に皺や弛み鼻梁の裾部分に隙間ができず、顔面の全面に万遍なく化粧液が行き亘る立体フェイスマスク１を提供する。
【解決手段】化粧液が含浸された状態で、眼孔部分、鼻孔部分及び口唇部分を除いて顔面の全面に亘り貼付されるシート状の立体フェイスマスク１において、顔面の左半面に貼付される左側シート２と、左側シート２と形状が左右対称とされ、顔面の右半面に貼付される右側シート４とからなり、左側シート２の右側縁と右側シート４の左側縁とが、額の上部及び鼻梁にそれぞれ対応する領域以外の領域で接合されたことを特徴とする。
【選択図】  図２【図１】
0004825319.tif 000002
【図２】
0004825319.tif 000003
【図３】
0004825319.tif 000004
【図４】
0004825319.tif 000005
【図５】
0004825319.tif 000006
【図６】
0004825319.tif 000007